(57)【要約】【課題】  従来の商品管理上の工程を変えることなく、商品上のバーコード等の自動認識シンボルを利用して、他に利用し易い汎用的な形式で記録情報を取得することが可能な自動認識シンボル表示装置を提供する。【解決手段】  読取手段１０により、商品９０上の自動認識シンボル９１を読み取った後、デコード手段２０がコード情報にデコードして記憶手段３０に記録するとともに、シンボル発生手段６０が、コード情報から自動認識シンボルを発生させて反射型表示手段４０に表示する。反射型表示手段４０に表示された自動認識シンボルを既存のＰＯＳレジスタ付属のリーダーで読み取ることにより、従来の代金精算処理を妨げることなく、別途コード情報の記録が可能となる。【選択図】  図１
2007172449.tif 000002
【特許請求の範囲】
【請求項１】
商品に付された自動認識シンボルを読み取る読取手段と、
前記読み取った自動認識シンボルをコード情報にデコードするデコード手段と、
前記デコードにより得られたコード情報を記録するコード情報記憶手段と、
前記自動認識シンボルを表示させる反射型表示手段と、
を有することを特徴とする自動認識シンボル表示装置。
【請求項２】
さらに、前記コード情報から自動認識シンボルを発生させるシンボル発生手段を有し、前記反射型表示手段は、前記シンボル発生手段が発生させた自動認識シンボルを表示するものであることを特徴とする請求項１に記載の自動認識シンボル表示装置。
【請求項３】
商品に付された情報記録媒体から非接触方式でコード情報を取得するコード情報取得手段と、
前記取得したコード情報を記録するコード情報記憶手段と、
前記コード情報から自動認識シンボルを発生させるシンボル発生手段と、
前記自動認識シンボルを表示させる反射型表示手段と、
を有することを特徴とする自動認識シンボル表示装置。
【発明の詳細な説明】
【技術分野】
【０００１】
本発明は、バーコード等の自動認識シンボル、ＩＣタグ等の記録媒体に記録されたコード情報を、既存システムを利用しながら有効活用するための技術に関する。
【背景技術】
【０００２】
従来より、自動認識シンボルとしてバーコードや二次元コードが利用されている。特に、バーコードは、商品のパッケージに印刷されており、店舗における代金精算時に、購入商品を特定するために利用されており、小売業においては、なくてはならないものになっている。
【０００３】
上記バーコードを利用して商品代金の精算を行うためには、ＰＯＳレジスタにバーコードリーダが接続されたものが用いられている。店員が商品上のバーコードをバーコードリーダを用いて読み取らせると、ＰＯＳレジスタには、バーコードに記録された情報（通常はＪＡＮコード）が記録される仕組みになっている。
【発明の開示】
【発明が解決しようとする課題】
【０００４】
しかしながら、上記従来のＰＯＳレジスタは、メーカーごとにデータの形式が異なったものとなっており、多種のＰＯＳレジスタが記録したデータをそのまま利用してマーケティングに用いる等の有効活用が困難であるという問題がある。
【０００５】
そこで、本発明は、従来の商品管理上の工程を変えることなく、商品上のバーコード等の自動認識シンボルを利用して、他に利用し易い汎用的な形式で記録情報を取得することが可能な自動認識シンボル表示装置を提供することを課題とする。
【課題を解決するための手段】
【０００６】
上記課題を解決するため、本発明第１の態様では、商品に付された自動認識シンボルを読み取る読取手段と、前記読み取った自動認識シンボルをコード情報にデコードするデコード手段と、前記デコードにより得られたコード情報を記録するコード情報記憶手段と、前記自動認識シンボルを表示させる反射型表示手段を有する自動認識シンボル表示装置を提供する。
【０００７】
また、本発明第２の態様では、商品に付された情報記録媒体から非接触方式でコード情報を取得するコード情報取得手段と、前記取得したコード情報を記録するコード情報記憶手段と、前記コード情報から自動認識シンボルを発生させるシンボル発生手段と、前記自動認識シンボルを表示させる反射型表示手段を有する自動認識シンボル表示装置を提供する。
【発明の効果】
【０００８】
本発明第１の態様によれば、自動認識シンボルを読み取って、コード情報にデコードして記録するとともに、読み取った自動認識シンボルを反射型表示手段に表示させるようにしたので、反射型表示手段に表示された自動認識シンボルを既存のＰＯＳレジスタ付属のリーダーで読み取ることにより、従来の代金精算処理を妨げることなく、別途コード情報の記録が可能となるという効果を奏する。
【０００９】
本発明第２の態様によれば、情報記録媒体から非接触方式でコード情報を取得して記録するとともに、取得したコード情報から自動認識シンボルを発生し、反射型表示手段に表示させるようにしたので、反射型表示手段に表示された自動認識シンボルを既存のＰＯＳレジスタ付属のリーダーで読み取ることにより、自動認識シンボルに代えて、コード情報を記録した情報記録媒体を付した商品であっても、既存のＰＯＳレジスタを利用して、代金精算処理を行うことが可能となるという効果を奏する。
【発明を実施するための最良の形態】
【００１０】
以下、本発明の好適な実施形態について、図面を参照して詳細に説明する。
（第１の実施形態）
図１は、本発明第１の実施形態に係る自動認識シンボル表示装置の構成を示す図である。図１において、１０は読取手段、２０はデコード手段、３０は記憶手段、４０は反射型表示手段、５０は演算処理手段、６０はシンボル発生手段、７０は外部記憶装置、８０はキーボードである。また、９０は商品、９１はバーコード、１００はバーコードリーダー、１１０はＰＯＳレジスタである。
【００１１】
読取手段１０は、商品９０に付された自動認識シンボルを読み取る機能を有している。本実施形態では、自動認識シンボルとしてバーコードを採用しているため、読取手段１０もバーコードに対応したもの、すなわちバーコードリーダーとなっている。デコード手段２０は、読取手段１０が読み取った自動認識シンボルをコード情報にデコードする機能を有している。本実施形態では、コード情報としてＪＡＮコードを採用しているため、デコード手段２０は、ＪＡＮコードにデコードする。記憶手段３０は、デコードにより得られたコード情報を記憶する機能を有している。
【００１２】
反射型表示手段４０は、反射光により表示を行う機能を有している。具体的には、反射型ＬＣＤや、電子ペーパーと呼ばれる電気泳動ディスプレイ等で実現される。反射型表示手段４０に表示させる自動認識シンボルは、汎用のバーコードリーダーで読み取らせることを目的としているため、反射型であることを必要としている。汎用のバーコードリーダーは、紙等に印刷されたバーコードの拡散反射光を捉え、その反射光の強弱を電気信号に変換しており、ＣＲＴや透過型ＬＣＤで表示しても汎用のバーコードリーダーでは読み取ることができないためである。
【００１３】
演算処理手段５０は、自動認識シンボル表示装置における様々な演算、制御を行う機能を有しており、ＣＰＵが様々なプログラムを実行することにより実現される。シンボル発生手段６０は、デコードにより得られたコード情報から自動認識シンボルを発生させる機能を有している。外部記憶装置７０は、外部の装置が利用するためのデータを記憶する記憶装置である。キーボード８０は、作業者が情報を直接入力するためのものである。
【００１４】
商品９０には、自動認識シンボルとしてのバーコード９１が印刷されている。バーコードリーダー１００およびＰＯＳレジスタ１１０は、従来より利用されている汎用の代金精算および売上管理システムである。
【００１５】
次に、図１に示した装置の処理動作について説明する。まず、商品９０に添付されたバーコード９１を読取手段１０で読み取る。すると、デコード手段２０がコード情報にデコードし、演算処理手段５０が記憶手段３０に記憶する。記憶手段３０には、コード情報を汎用フォーマットで記録するため、記録されたコード情報を、マーケティング情報等に利用し、有効活用を図ることが可能になる。
【００１６】
記憶手段３０へのコード情報の記録処理と並行して、シンボル発生手段６０が、コード情報を元に自動認識シンボルを発生する。このシンボル発生手段６０における自動認識シンボルの発生処理は、デコード手段２０におけるデコード処理と全く正反対の処理を行うことになる。さらに、演算処理手段５０は、シンボル発生手段６０により発生された自動認識シンボルを反射型表示手段４０に表示させる。この結果、反射型表示手段４０には、商品９０に添付されたバーコードと同じものが表示されることになる。
【００１７】
本実施形態では、反射型表示手段４０の表示面と平行に、従来のＰＯＳレジスタに接続されたバーコードリーダーの読取面を設置してある。これにより、従来のＰＯＳレジスタには、商品９０から直接バーコードを読み取った場合と同様に、コード情報が記録される。したがって、作業者が、商品９０に添付されたバーコード９１をバーコードリーダー（読取手段１０）で読み取ることにより、従来のＰＯＳレジスタにおける代金精算処理が従来通り行われるとともに、汎用フォーマットでコード情報が記憶手段３０に記録されることになる。
【００１８】
（第２の実施形態）
次に、本発明第２の実施形態について説明する。図２は、本発明第２の実施形態に係る情報記憶識別子変換装置の構成を示す図である。図２中、図１に示したシステムと同様の機能を有する構成要素については、同一符号を付して説明を省略する。図２中、図１と異なるのは、読取手段１０、デコード手段２０に代えてコード情報取得手段１２０を有する点である。
【００１９】
コード情報取得手段１２０は、商品９０に付されたＩＣタグからコード情報を非接触方式で読み取る機能を有している。第１の実施形態と同様、第２の実施形態でも、コード情報にはＪＡＮコードを含む若しくはＪＡＮコードに関連する情報を内包しているため、コード情報取得手段１２０は、ＪＡＮコードを含んだ情報を取得する。商品９０には、コード情報を記録したＩＣタグ９２が取り付けられている。ＩＣタグ９２は、非接触方式のＩＣタグである。非接触方式のＩＣタグとは、プラスチック等の基材にコイルパターンを形成し、このコイルと容量素子とにより共振回路を形成して一定周波数の電波を受信し送信することができるように構成されたものであり、非接触データキャリアやＲＦ−ＩＤとも呼ばれる。なお、ＩＣタグ９２の商品９０への取り付け手法は、貼着等様々な手法により行うことができる。
【００２０】
次に、図２に示した装置の処理動作について説明する。まず、商品９０に取り付けられたＩＣタグ９２にコード情報取得手段１２０を近づける。すると、コード情報取得手段１２０がＩＣタグ９２からコード情報を取得し、演算処理手段５０が記憶手段３０に記憶する。第１の実施形態と同様、記憶手段３０には、コード情報を汎用フォーマットで記録するため、記録されたコード情報を、マーケティング情報等に利用し、有効活用を図ることが可能になる。
【００２１】
また、第１の実施形態と同様、記憶手段３０へのコード情報の記録処理と並行して、シンボル発生手段６０が、コード情報を元に自動認識シンボルを発生する。さらに、演算処理手段５０は、シンボル発生手段６０により発生された自動認識シンボルを反射型表示手段４０に表示させる。第１の実施形態では、商品に付された自動認識シンボルと同じものが反射型表示手段４０に表示されたが、第２の実施形態では、ＩＣタグ９２から読み取ったコード情報に対応する自動認識シンボルを新たに発生することになる。
【００２２】
第２の実施形態においても、第１の実施形態と同様、反射型表示手段４０の表示面と平行に、従来のＰＯＳレジスタに接続されたバーコードリーダーの読取面を設置してある。これにより、従来のＰＯＳレジスタには、商品９０から直接バーコードを読み取った場合と同様に、コード情報が記録される。したがって、作業者が、商品９０に添付されたＩＣタグ９２からＩＣタグリーダー（コード情報取得手段１２０）でＩＣタグのコード情報を取得することにより、従来のＰＯＳレジスタにおける代金精算処理が従来通り行われるとともに、汎用フォーマットでコード情報が記憶手段３０に記録されることになる。
【００２３】
以上、本発明の好適な実施形態について説明したが、本発明は、上記実施形態に限定されず、種々の変形が可能である。例えば、上記実施形態では、反射型表示手段４０の画面と、汎用ＰＯＳレジスタのバーコードリーダの接続面を、読取可能な状態に対向させた状態で固定するようにしたが、汎用ＰＯＳレジスタのバーコードリーダを作業者が移動させて、反射型表示手段４０の画面上のバーコードを読み取るようにしても良い。ただし、この場合は、商品からコード情報を読み取るための作業と、反射型表示手段４０の画面からコード情報を読み取るための作業の２つが必要となり、作業者の作業は増えることになる。
【００２４】
また、上記実施形態では、自動認識シンボルとしてバーコードを用いた場合を例にとって説明したが、ＱＲコード（登録商標）等に代表される二次元コード等、他の自動認識シンボルを用いても良い。
【００２５】
また、上記実施形態では、コード情報としてＪＡＮコードを用いた場合を例にとって説明したが、ＩＴＦコード等、他のコード情報を用いても良い。
【図面の簡単な説明】
【００２６】
【図１】本発明第１の実施形態に係る自動認識シンボル表示装置の構成を示す図である。
【図２】本発明第２の実施形態に係る自動認識シンボル表示装置の構成を示す図である。
【符号の説明】
【００２７】
１０・・・読取手段
２０・・・デコード手段
３０・・・記憶手段
４０・・・反射型表示手段
５０・・・演算処理手段
６０・・・シンボル発生手段
７０・・・外部記憶装置
８０・・・キーボード
９０・・・商品
９１・・・自動認識シンボル
９２・・・ＩＣタグ
１００・・・バーコードリーダー
１１０・・・ＰＯＳレジスタ
１２０・・・コード情報取得手段
【図１】
2007172449.tif 000003
【図２】
2007172449.tif 000004